(57)【要約】【課題】軽く、薄く簡単な構造で、捩れや撓みを生じさせずに、バネ丁番と同様の弾性をツルに付与すること。【解決手段】少なくとも二枚以上の板状ツル（１１ａ，１１ｂ）の前方テンプル部（１５ａ，１５ｂ）に切り込み部（３０,３０ａ，‥）を設け、前記板状ツル（１１ａ，１１ｂ）を上下に水平に並べ、そして、それぞれの前端部にはヒンジ結合用の軸受け（１２ａ，１２ｂ）を設け、それぞれの後端部（１４ａ，１４ｂ）は互いに固着し、モダンを嵌着した構造とした。【選択図】図１
2008191329.tif 000002
【特許請求の範囲】
【請求項１】
少なくとも二枚以上の所望形状の板状ツルが、上下に水平に並べられ、そして、それぞれの前端部にはヒンジ結合用の軸受け部を有し、それぞれの後端部は互いに固着されモダンに嵌着された事を特徴とする眼鏡用ツル。
【請求項２】
前記少なくとも二枚以上の板状ツルの前方テンプル部に切り込み部が設けられた事を特徴とする請求項１に記載の眼鏡用ツル。
【請求項３】
前記少なくとも二枚以上の板状ツルの、それぞれの色、形状、又は切り込み部の形状を異なった様にした事を特徴とする請求項１又は２の何れか1項に記載の眼鏡用ツル。
【請求項４】
前記少なくとも二枚以上の板状ツルに相対する様に嵌合用凹部と凸部を設けた事を特徴とする請求項１から３の何れか1項に記載の眼鏡用ツル。
【発明の詳細な説明】
【技術分野】
【０００１】
本発明は眼鏡用のツルに関する。
【背景技術】
【０００２】
従来、眼鏡を掛ける際にツルを外側に過開拡させ掛け易くする為にバネ丁番や、特開２００３−３１５７４４と特許第３３５９７００の様にツル部又はツル部端部のヒンジ部に切り込み部を互い違いに入れて、撓み又は弾性により外側に拡げられるようにした物が提案されている。
【０００３】
【特許文献１】特開２００３−３１５７４４号公報
【特許文献２】特許第３３５９７００号
【発明の開示】
【発明が解決しようとする課題】
【０００４】
しかしながら、上記バネ丁番に於いては、バネ丁番を付けるのにも手間と時間がかかり費用が高くついた。
【０００５】
又、上記特開２００３−３１５７４４号や特許第３３５９７００号の様に切り込みを設ける場合に於いては、十分な厚みが無いとその効果が充分に現れないという課題があった。すなわち、図６のように薄い板状ツルに切込みを入れて外側に開拡すると、過開拡はするが同時に長軸に対し回転する力すなわち捩れが生じてしまった。又、撓みも生じてしまっていた。その事によりツルを薄くする事が出来ず、厚く重いツルになってしまい、眼鏡自体の重さも増してしまった。又、形状も単純なデザインしか採れなくて野暮ったい物となってしまっていた。
【課題を解決するための手段】
【０００６】
そこで本発明に於いては、先ず上記課題を解決する為に、少なくとも二枚以上の所望形状の板状ツルが、上下に水平に並べられ、そして、それぞれの前端部にはヒンジ結合用の軸受け部を有し、後端部は互いに固着されモダンに嵌着された事を特徴とする眼鏡用ツルの提供を図り、更にその少なくとも二枚以上の板状ツルの前方テンプル部に切り込み部を設ける事により上記課題の解決を図った。
【０００７】
更に少なくとも二枚以上の板状ツルの、それぞれの色、形状、又は切り込み部の形状を異なった様にした事によりデザイン的にも多様性を表示できる事となった。そして、少なくとも二枚以上の板状ツルに相対する様に嵌合用凹部と凸部を設ける事により上下のツルのズレ防止とした。
【発明の効果】
【０００８】
本発明によると、軽く薄く、しかも外側への過開拡の際にも捩れや撓みを起こす事無く出来る掛け易い眼鏡のツルが提供可能となった。又、デザイン的にも上下の板状ツルのそれぞれの色、形状、切り込みの形状を変える事等により多くの変化を持つ様に出来る。そしてその様に、機能性と装飾性を併せ持った眼鏡の提供が可能となった。又上下に薄く横に広くなっているので指で摘み易く眼鏡の掛け外しも楽に行える事となった。
【発明を実施するための最良の形態】
【０００９】
少なくとも二枚以上の板状ツルの前方テンプル部に切り込み部が設けられ、前記板状ツルは上下に水平に並べられ、そして、それぞれの前端部にはヒンジ結合用の軸受け部を有し、後端部は互いに固着されモダンに嵌着された事を特徴とする眼鏡用ツル。
【実施例１】
【００１０】
図１は、本発明の眼鏡用ツルの要部分解斜視図であり、前端部１３ａ，１３ｂにヒンジ結合用の軸受け部１２ａ，１２ｂが設けられた二枚の所望形状の板状ツル１１ａ，１１ｂを上と下に水平に並べて配置されている。そして、板状ツル１１ａ，１１ｂの後端部１４ａ，１４ｂは互いに固着される。これは例えば、ロウ付け、スポット溶接、カシメ等の手段で良い。そして、次に後端部はモダン１６に嵌着される。上の板状ツル１１ａの前方テンプル部１５ａと下の板状ツル１１ｂの前方テンプル部１５ｂには、それぞれ切り込み部（３０、３０ａ，３０ｂ‥‥）が設けられ、眼鏡を掛ける際に、外側に過開拡出来、掛け易くするようになっている。
【００１１】
又、上下の板状ツルのそれぞれで色や形状、そして切り込み部の形状、模様を変えられるので、デザイン、装飾面での応用も広い。
【００１２】
前記板状ツルは、材質的には金属板の打ち抜き、又は切削で得られたものが好ましいが、勿論これにこだわるものではない。
【００１３】
図２は、図１の状態から組立てられた全体斜視図であり、掛け外しの際ツルが横に広がっているので指で摘み易く取り扱いが容易である。板状であるので切り込みの模様等も簡単に変えられるのでデザインも大いに楽しめる。
【００１４】
図３は、上下の板状ツルがズレないようにそれぞれ凸部１７と凹部１８を設けた図である。こうする事により上下の板状ツルのズレを防止する。
【００１５】
又、図４の様に、上下の板状ツルの間にスペースを設けても良いし、図５の様にスペースをなくして密着して設けても良い。
【００１６】
図６は切り込み部入りのツルを薄くした場合の不具合を説明する為の斜視図であり、矢印Ｆの方向に過開拡する力を加えると、薄い板状ツル１１Ｐは、外側に広がる方向にも弾性を持って拡がるが、長軸を中心とする回転する力である捩れＧも同時に発生する。又、薄い故に上下への撓みＨも発生する。頻繁に過開拡する力を加え続けると、徐々に曲げ癖が付きツルの安定性が悪くなり、眼鏡をかけた際にアンバランスになり視線まで狂ってくることになる。
【産業上の利用可能性】
【００１７】
ファッション性と機能性を併せ持った事により、矯正用の眼鏡は勿論、サングラス、としての応用使途は広い。
【図面の簡単な説明】
【００１８】
【図１】本発明の眼鏡用ツルの要部分解斜視図
【図２】図１の状態から組立てた全体斜視図
【図３】板状ツルの凹凸嵌合部要部断面図
【図４】本発明の実施例の側面図
【図５】本発明の他の実施例の側面図
【図６】不具合を説明する為の斜視図
【符号の説明】
【００１９】
１０              眼鏡用ツル
１１ａ，１１ｂ    板状ツル
１２ａ，１２ｂ    軸受け部
１３ａ，１３ｂ    板状ツル前端部
１５ａ，１５ｂ    板状ツル前方テンプル部
１６              モダン
１７              板状ツル係止用凸部
１８              板状ツル係止用凹部
２０              ヒンジ部コマ
２２              フロントフレーム
３０、３０ａ，３０ｂ、  切込み部
Ｆ                開拡方向
Ｇ                捩れ
Ｈ                撓み
【図１】
2008191329.tif 000003
【図２】
2008191329.tif 000004
【図３】
2008191329.tif 000005
【図４】
2008191329.tif 000006
【図５】
2008191329.tif 000007
【図６】
2008191329.tif 000008
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
少なくとも二枚以上の所望形状の板状ツルが、上下に水平に並べられ、そして、それぞれの前端部にはヒンジ結合用の軸受部を有し、それぞれの後端部は互いに固着されモダンに嵌着されているとともに、前記板状ツルの前方テンプル部において内側及び外側から互い違いに切り込み部が設けられていることを特徴とする眼鏡用ツル。
【請求項２】
前記板状ツルは、色、形状、又は切り込み部の形状がそれぞれを異なっていることを特徴とする請求項１に記載の眼鏡用ツル。
【請求項３】
前記板状ツルには、嵌合用凹部及び凸部が相対するように設けられていることを特徴とする請求項１又は２に記載の眼鏡用ツル。